(57)【特許請求の範囲】
【請求項１】
被操作体を備えたスライダーと、
上記スライダーに重ねられた第１のラックと、
上記第１のラックと噛合するピニオンと、
上記スライダー又は第１のラックのいずれか一方に設けられた突起と、
上記スライダー又は第１のラックの他方に、上記突起を挟むようにして、上記第１のラックの移動方向に所定の間隔をもって配置された第１、第２の突起係合部と、
上記第１の突起係合部を上記突起に当接させる第１のばねと、
上記スライダーを付勢していて、該スライダーが所定の位置までスライドしてきたときに、付勢方向を反転させる第２のばねと、を備えていて、
上記第１のラックは、上記第２のばねの変曲点に対応する位置に欠歯部を有し、
上記スライダーは、上記第１のラックの欠歯部に臨む位置において、上記ピニオンに噛合する第２のラックを有する
ことを特徴とするスライダー機構。
【請求項２】
上記第２のラックは、スライダーと別体に形成されている
ことを特徴とする請求項１に記載のスライダー機構。
【請求項３】
上記第２のラックは、スライダーと一体に形成されている
ことを特徴とする請求項１に記載のスライダー機構。
【請求項４】
光学シャーシのロック部材をロック位置又はロック解除位置に移動させるスライダー機構を備えたディスクドライブ装置であって、
上記スライダー機構は、上記ロック部材を備えたスライダーと、
上記スライダーに重ねられたラックと、
上記ラックと噛合するピニオンと、
上記スライダー又はラックのいずれか一方に設けられた突起と、
上記スライダー又はラックの他方に、上記突起を挟むようにして、上記ラックの移動方向に所定の間隔をもって配置された第１、第２の突起係合部と、
上記第１の突起係合部を上記突起に当接させる第１のばねと、
上記スライダーを付勢していて、該スライダーが所定の位置までスライドしてきたときに、付勢方向を反転させる第２のばねとを備え、
上記ラックは、上記第２のばねの変曲点に対応する位置に欠歯部を有し、
上記スライダーは、上記ラックの欠歯部に臨む位置において、上記ピニオンに噛合する第２のラックを有する
ことを特徴とするディスクドライブ装置。
【発明の詳細な説明】
【０００１】
【発明の属する技術分野】
本発明は、光学ピックアップ等を搭載したオプティカルシャーシ（以下、ＯＰシャーシという）をメカシャーシ側にロックするロック部材の駆動等に用いられるスライダー機構及び該スライダー機構を備えたＤＶＤ（デジタルビデオディスク）やＣＤ（コンパクトディスク）等のディスクの記録又は／及び再生を行うディスクドライブ装置に関するものである。
【０００２】
【従来の技術】
図２１〜図２２に示したように、ディスクドライブ装置１は、ディスクＤをチャッキングしてこれを回転させるディスクテーブル２や光学ピックアップ３、該ピックアップ３を上記ディスクテーブル２にチャッキングされたディスクの半径方向に移動させるピックアップ駆動機構４等を搭載したＯＰシャーシ５と、該ＯＰシャーシ５の四隅部をダンパー６…６を介してフローティング可能に支持しているメカシャーシ７と、上記メカシャーシ７の一側面から突出された第１のロックピン８及び他側面から突出された第２、第３のロックピン９，１０と、上記第１〜第３のロックピン８〜１０を側面に設けたロックピン嵌合部１１（図２３〜図２４参照）に導入した第１〜第３のロック部材１２〜１４と、上記第１のロック部材１２を図２１に示すＯＰシャーシロック位置から図２２に示すＯＰシャーシロック解除位置に移動させ、或いはこれとは逆にＯＰシャーシロック解除位置からＯＰシャーシロック位置に移動させるスライダー機構１５と、該スライダー機構１５に連動させて、上記第２、第３のロック部材１３，１４を移動させる連動機構（図示省略）を備えている。
【０００３】
上記第１ロック部材１２は、上記ＯＰシャーシロック位置においては、図２３に示したように、ロックピン嵌合部１１の一端側のロック部１１ａが上記第１のロックピン８の位置に移動してきて上記ＯＰシャーシ５をメカシャーシ７側に押し下げて、該ＯＰシャーシ５をメカシャーシ７側にロックする。
【０００４】
また、上記第１のロック部材１２は、上記ＯＰシャーシロック解除位置においては、図２４に示したように、ロックピン嵌合部１１の他端側のロック解除部１１ｂが上記第１のロックピン８の位置に移動してきて上記ＯＰシャーシ５のロック（押し下げ）を解除して、該ＯＰシャーシ５をフローティング状態にする。上記第２、第３のロック部材１３，１４も上記第１のロック部材１２と略同様に構成されている。
【０００５】
図２５〜図２６に示したように、上記スライダー機構１５は、上記第１のロック部材１２を組み付けたスライダー２１と、該スライダー２１上に重ね合わされたラック２２と、該ラック２２に噛合するピニオン２３と、上記スライダー２１に設けた突起２４と、該突起２４を所定の遊び空間をもって挟むようにして上記ラック２２の移動方向に所定の間隔をもって配置された第１、第２の突起係合部２５，２６と、上記スライダー２１に設けた第１のばね係止部２７に一端側を係止し、他端側をラック２２に設けた第２のばね係止部２８に係止することにより、上記突起２４を上記第１の突起係合部２５に当接させているコイルばね２９と、上記スライダー２１に設けた第３のばね係止部３０に一端側を係止し、他端側を上記メカシャーシ７に設けた第４のばね係止部３１に係止することにより、上記スライダー２１を付勢していて、該スライダー２１が所定の位置に来たときに、上記付勢方向を反転させる捩りコイルばね３２を備えている。
【０００６】
上記突起２４にはピンが用いられ、上記第１、第２の突起係合部２５，２６は、長孔３３の一端部と他端部が用いられている。なお、３４は、スライダー２１の一端部に設けられたロックピンである。上記ロックピン３４は、上記スライダー２１がＯＰシャーシロック位置に移動してきたときに、メカシャーシ側に設けたスライダーロック部材３５に係合して、上記スライダー２１をＯＰシャーシロック位置にロックするようになっている。
【０００７】
図２７は、上記ＯＰシャーシ５をロックしている状態のスライダー機構１５の平面図である。上記ラック２２は、コイルばね２９によって付勢され、上記第１の突起係合部２５が上記突起２４に当接する位置に移動していると共に、上記ラック２２とピニオン２３の噛合は外れた状態になっている。また、上記捩りコイルばね３２は、スライダー２１を矢印Ａ方向に付勢している。
【０００８】
この状態で、ディスクドライブ装置１にディスクを挿入すると、該ディスクによりラック操作レバー３６が操作され、該レバー３６によりラック２２が矢印Ｂ方向に付勢されて、上記ピニオン２３に噛合し、該ピニオン２３の反時計方向（矢印Ｃ方向）の回転により上記ラック２２が上記コイルばね２９のばね力に抗して矢印Ｂ方向にスライドし、上記第２の突起係合部２６が上記突起２４に当接する（図２８参照）。
【０００９】
上記第２の突起係合部２６が上記突起２４に当接すると、図２９〜図３０に示したように、ラック２２と共にスライダー２１も矢印方向Ｂにスライドする。
【００１０】
そして、上記スライダー２１が更に矢印Ｂ方向にスライドして、図３１に示したように、上記捩りコイルばね３２が変曲点を越えると、該戻りコイルばね３２は、付勢方向を変換してスライダー２１を矢印Ｂ方向に付勢する。
【００１１】
上記捩りコイルばね３２によって矢印Ｂ方向に付勢されたスライダー２１は、図３２に示したように、上記突起２４が第１の突起係合部２５に当接するまでスライドする。
【００１２】
上記突起２４が第１の突起係合部２５に当接すると、ラック２２と共にスライダー２１は、更に矢印Ｂ方向にスライドして、図３３に示すＯＰシャーシロック解除位置まで移動してきて停止する。
【００１３】
また、上記スライダー２１が図３３に示すＯＰシャーシロック解除位置にある状態において、上記ピニオン２３を時計方向（矢印Ｄ方向）に回転させると、図３４に示したようにラック２２と共にスライダー２１は、矢印Ａ方向にスライドする。上記スライダー２１が更に矢印Ａ方向にスライドして図３５に示したように、上記捩りコイルばね３２が変曲点を越えると、該捩りコイルばね３２は、付勢方向を変換して、スライダー２１を矢印Ａ方向へ付勢する。
【００１４】
上記捩りコイルばね３２によって矢印Ａ方向に付勢されたスライダー２１は、図３６に示したように、上記突起２４が第２の突起係合部２６に当接するまでスライドする。
【００１５】
上記ピニオン２３が更に時計方向に回転すると、上記ラック２２のみが矢印Ａ方向にスライドし、図３７に示したように、上記第１の突起係合部２５が上記突起２４に当接する（このとき上記スライダー２１は、スライダーロック部材３５によって矢印Ａ方向への自由なスライドが規制されるようになっている）。
【００１６】
上記ピニオン２３を更に時計方向に回転させるとラック２２とスライダー２１が一緒に矢印Ａ方向にスライドし、図３８に示したように、上記スライダー２１は、スライダーロック部材３５によってＯＰシャーシロック位置にロックされた状態になる。そして、上記ピニオン２３を更に時計方向に回転させるとラック２２のみが矢印Ａ方向にスライドし、図３９に示したように、上記ラック２２とピニオン２３の噛合が外れた状態になる。
【００１７】
【発明が解決しようとする課題】
ところで、上記従来のスライダー機構は、捩りコイルばね３２が変曲点を越えたのち、例えば図３１〜図３２に示したように、捩りコイルばね３２のばね力でスライダー２１がスライドし、突起２４が第１の突起係合部２５に激しく当たるために異音やノイズが発生するという問題点があった。
【００１８】
上記異音やノイズの発生は、上記捩りコイルばね３２のばね力を弱くすることにより抑制することができるが、捩りコイルばね３２のばね力を弱くするとスライダー２１のスライド動作が不確実になるという問題点がある。
【００１９】
本発明は、上記従来の問題点を解決し、捩りコイルばねのばね力を弱めることなく異音やノイズの発生を抑制することのできるスライダー機構を提供することを目的としてなされたものである。
【００２０】
【課題を解決するための手段】
本発明は、被操作体を備えたスライダーと、上記スライダーに重ねられたラックと、上記第１のラックと噛合するピニオンと、上記スライダー又はラックのいずれか一方に設けられた突起と、上記スライダー又はラックの他方に、上記突起を挟むようにして、上記ラックの移動方向に所定の間隔をもって配置された第１、第２の突起係合部と、上記第１の突起係合部を上記突起に当接させる第１のばねと、上記スライダーを付勢していて、該スライダーが所定の位置までスライドしてきたときに、付勢方向を反転させる第２のばねとを備えたスライダー機構において、
上記ラックには、上記第２のばねの変曲点に対応する位置に欠歯部を設けると共に、上記スライダーには、上記ラックの欠歯部に臨む位置において、上記ピニオンに噛合する第２のラックを設けることにより、
上記第１のばねの変曲点において、上記ラックの移動を停止させると共に、上記ピニオンでスライダーを移動させることにより、上記突起を一方の突起係合部から他方の突起係合部側に移動させるようにした。
【００２１】
【発明の実施の形態】
次に、本発明を１．ディスクドライブ装置全体の概略構成と作用、２．スライダー機構の構成と作用、３．連動レバーの構成と作用、４．他の実施例の順に説明する。
【００２２】
１．ディスクドライブ装置全体の概略構成と作用
図１〜図２に示したように、ディスクドライブ装置１は、ディスクＤをチャッキングしてこれを回転させるディスクテーブル２や光学ピックアップ３、該ピックアップ３を上記ディスクテーブル２にチャッキングされたディスクの半径方向に移動させるピックアップ駆動機構４等を搭載した光学シャーシ（以下、ＯＰシャーシという）５と、該ＯＰシャーシ５の四隅部をダンパー６…６を介してフローティング可能に支持するメカシャーシ７と、上記メカシャーシ７の一側面から突出された第１のロックピン８及び他側面から突出された第２、第３のロックピン９，１０と、上記第１〜第３のロックピン８〜１０を側面に設けたロックピン嵌合部１１（図３〜図４参照）に導入した第１〜第３のロック部材１２〜１４と、上記第１のロック部材１２を図１に示すＯＰシャーシロック位置から図２に示すＯＰシャーシロック解除位置に移動させ、或いはこれとは逆にＯＰシャーシロック解除位置からＯＰシャーシロック位置に移動させるスライダー機構１５と、該スライダー機構１５に連動させて、上記第２、第３のロック部材１３，１４を移動させる連動レバー１６を備えていて、車載用のディスクドライブ装置として構成されている。
【００２３】
上記第１のロック部材１２は、上記ＯＰシャーシロック位置においては、図３に示したように、ロックピン嵌合部１１の一端側のロック部１１ａが上記第１のロックピン８の位置に移動してきて上記ＯＰシャーシ５をメカシャーシ７の底面側に押し下げて、該ＯＰシャーシ５をメカシャーシ７側にロックする。また、上記第１のロック部材１２は、上記ＯＰシャーシロック解除位置においては、図４に示したように、ロックピン嵌合部１１の他端側のロック解除部１１ｂが上記第１のロックピン８の位置に移動してきて上記ＯＰシャーシ５のロック（押し下げ）を解除して、該ＯＰシャーシ５をフローティング状態にする。上記第２、第３のロック部材１３，１４は、上記第１のロック部材１２と略同様に構成されている。  図１〜図２に示したように、上記第２、第３のロック部材１３，１４は、連結板１７によって互いに連結されている。上記連結板１７は、上記メカシャーシ７の一側部７ａの内面にスライド可能に組み付けられていて、上記連動レバー１６を介して上記第１のロック部材１２と第２、第３のロック部材１３，１４を連動操作するようになっている。なお、上記ディスクドライブ装置１のディスク挿入口１ａ側には図示省略のディスクローディングローラが設けられていると共に、上記ディスク挿入口１ａの奥端部にはラック操作用の回動レバー３６が設けられている。そして、上記ディスク挿入口１ａからディスクが所定の位置まで挿入されると、該ディスクが上記回動レバー３６の一端側のディスク係合ピン３８に当接し、上記回動レバー３６が軸３９を中心にして時計方向に回動し、該レバー３６の他端側のラック押圧ピン４０で次に説明するスライダー機構１５の第１のラック２２を押圧するようになっている。
【００２４】
２．スライダー機構の構成と作用
図５〜図６に示したように、上記スライダー機構１５は、上記第１のＯＰシャーシロック部材１２を組み付けたスライダー２１と、該スライダー２１上に重ね合わされた第１のラック２２と、該第１のラック２２に噛合するピニオン２３と、上記スライダー２１に設けられた突起２４と、上記第１のラック２２に上記突起２４を所定の遊び空間をもって挟むようにして上記第１のラック２２の移動方向に所定の間隔をもって配置された第１、第２の突起係合部２５，２６と、上記スライダー２１側に設けた第１のばね係止部２７に一端側を係止し、他端側を上記第１のラック２２に設けた第２のばね係止部２８に係止することにより、上記突起２４を第１の突起係合部２５に当接させている第１のばね２９と、上記スライダー２１に設けた第３のばね係止部３０に一端側を係止し、他端側を上記メカシャーシ７に設けた第４のばね係止部３１に係止することにより、上記スライダー２１を付勢していて、該スライダー２１が所定の位置に移動してきたときに、上記付勢方向を反転させる第２のばね３２を備えている。
【００２５】
上記突起２４にはピンが用いられ、上記第１、第２の突起係合部２５，２６には、上記第１のラック２２に形成した長孔３３の一端部と他端部が用いられている。
【００２６】
上記第１のばね２９には、コイルばねが用いられ、上記第２のばね３２には捩りコイルばねが用いられている。
【００２７】
上記第１のラック２２は、上記第２のばね３２がその付勢方向を変える変曲点に対応する位置に欠歯部２２ａを有していて、該欠歯部２２ａを挟むようにして第１の歯部２２ｂと第２の歯部２２ｃが配置されている。
【００２８】
また、上記スライダー２１は、上記第１のラック２２の欠歯部２２ａに臨む位置において、上記ピニオン２３と噛合する第２のラック５１を備えている。
【００２９】
上記第２のラック５１は、欠歯部５１ａを有していて、該欠歯部５１ａを挟むようにして第１の歯部５１ｂと、第２の歯部５１ｃが配置されている。
【００３０】
上記第２のラック５１の第１の歯部５１ｂは、図５に示したように、上記第１のラック２２の第１の突起係合部２５が上記突起２４に当接している状態において、上記第１のラック２２の欠歯部２２ａの一端部から上記第１の歯部２２ｂの略中間に跨る位置に形成されていると共に、上記第２の歯部５１ｃは、上記第１のラック２２の第２の歯部２２ｃの最外端の歯と重なる位置に設けられている。なお、３４は、スライダー２１の一端部に設けられたロックピンである。該ロックピン３４は、上記スライダー２１がＯＰシャーシロック位置に移動してきたときに、メカシャーシ側に設けたスライダーロック部材３５に係合して、上記スライダー２１をＯＰシャーシロック位置にロックするようになっている。
【００３１】
次に、上記スライダー機構１５の作用について説明する。
【００３２】
図７は、上記ＯＰシャーシ５をロックしている状態のスライダー機構１５の平面図である。上記第１のラック２２は、第１のばね２９によって矢印Ａ方向に付勢され、上記第１の突起係合部２５が上記突起２４に当接する位置に移動していると共に、上記第１のラック２２とピニオン２３の噛合は外れた状態になっている。また、第２のばね３２は、スライダー２１を矢印Ａ方向に付勢している。
【００３３】
この状態で、ディスクドライブ装置１にディスクを挿入すると、該ディスクによりラック操作用の回動レバー３６が操作され、該レバー３６により第１のラック２２が矢印Ｂ方向に付勢されて、上記第１のラック２２の第２の歯部２２ｃが上記ピニオン２３に噛合し、上記ピニオン２３の反時計方向（矢印Ｃ方向）の回転により上記第１のラック２２が上記第１のばね２９のばね力に抗して矢印Ｂ方向に移動し、上記第２の突起係合部２６が上記突起２４に当接する（図８参照）。
【００３４】
上記第２の突起係合部２６が上記突起２４に当接すると、図９に示したように、第１のラック２２と共にスライダー２１も矢印方向Ｂに移動する。
【００３５】
そして、上記第１のラック２２とスライダー２１が更に矢印Ｂ方向に移動して、図１０に示したように、上記第２のラック２２の欠歯部２２ａが上記ピニオン２３の位置に移動してくると、該ピニオン２３と上記第１のラック２２の第２の歯部２２ｃとの噛合が外れる一方、上記ピニオン２３が上記第２のラック５１の第１の歯部５１ｂに噛合する。
【００３６】
上記ピニオン２３が更に反時計方向に回転すると、上記第１のラック２２は停止した状態で、上記第２のラック５１及びスライダー２１が矢印Ｂ方向に移動して、図１１に示したように、上記突起２４が再び第１の突起係合部２５に当接する。このときに上記第２のばね３２は、上記スライダー２１を矢印Ａ方向にもＢ方向にも付勢しない中立位置、即ち変曲点に来ている。
【００３７】
上記ピニオン２３が更に反時計方向に回転すると、今度は、上記スライダー２１も矢印Ｂ方向に移動し、上記第２のばね３２は、図１２に示したように、変曲点を越えて、上記スライダー２１を矢印Ｂ方向へ付勢する。
【００３８】
そして、上記スライダー２１は、図１３に示すＯＰシャーシロック解除位置まで移動してきて停止するのである。
【００３９】
また、上記スライダー２１が図１３に示すＯＰシャーシロック解除位置にある状態において、上記ピニオン２３を時計方向（矢印Ｄ方向）に回転させると、図１４に示したように、第１のラック２２と共にスライダー２１は、矢印Ａ方向に移動する。
【００４０】
上記ピニオン２３が更に時計方向に回転すると、上記第１のラック２２の欠歯部２２ａがピニオン２３の位置に移動してくるが、該欠歯部２２ａにおいて、上記ピニオン２３は、第２のラック５１の第１の歯部５１ｂと噛合しているので継続的に上記スライダー２１は、矢印Ａ方向に移動し、図１５に示したように、上記ピニオン２３は、第１のラック２２の第２の歯部２２ｃに噛合する。上述のように、第１のラック２２の第２の歯部２２ｃが上記ピニオン２３に噛合する位置まで上記スライダー２１が移動してくると、上記第２のばね３２は、変曲点を越えてスライダー２１を矢印Ａ方向へ付勢する。
【００４１】
上記ピニオン２３が更に時計方向に回転すると、該ピニオン２３の位置に上記第２のラック５１の欠歯部５１ａが移動してきて、上記第２のラック５１の第１の歯部５１ｂと上記ピニオン２３の噛合が外れる。上記ピニオン２３と上記第２のラック５１の第１の歯部５１ｂとの噛合が外れると上記スライダー２１は、上記第２のばね３２のばね力で矢印Ａ方向に移動し、図１６に示したように、上記突起２４が第２の突起係合部２６に当接した状態になると共に、上記第２のラック５１の第２の歯部５１ｃが上記ピニオン２３に噛合した状態になる。
【００４２】
上記ピニオン３２が更に時計方向に回転すると、図１７に示したように、上記スライダー２１は、ＯＰシャーシロック位置に移動してきて、上記ロックピン３４がメカシャーシ５側に設けたスライダーロック部材３５にロックされた状態になると共に、上記ピニオン２３と上記第２のラック５１の第２の歯部５１ｃとの噛合が外れた状態になる。
【００４３】
上記ピニオン２３が更に時計方向に回転すると、上記スライダー２１は停止した状態で上記第１のラック２２のみが矢印Ａ方向に移動して、上記第１の突起係合部２５が突起２４に当接するのと略同時に、上記ピニオン２３と第１のラック２２の第２の歯部２２ｃの噛合が外れるようになっている。なお、上記ピニオン２３は、図１〜図２に示したように、ギャトレイン５５を介してモータ５６により駆動されるようになっている。
【００４４】
本発明のスライダー機構１５は、上述のような構成であって、図１０〜図１２に示したように、第２のばね３２の変曲点において、欠歯部２２ａによって第１のラック２２を停止させ、上記欠歯部２２ａに臨む第２のラック５１によってスライダー２１を移動させて、上記突起２４を第１の突起係合部２５に当接させる構成にしたので、従来のばねの力で上記スライダー２１を移動させて、突起２４を第１の突起係合部２５に当接させるものに較べて、当接の際の衝撃を少なくして異音の発生等を抑制することができる。
【００４５】
３．連動レバーの構成と作用
図１〜図２に示したように、上記連動レバー１６は、金属板等により略円弧状に形成されていて、複数のスライド用の長孔６１とガイドピン６２によって、円弧方向にスライド可能にメカシャーシ７上に取り付けられている。
【００４６】
上記連動レバー１６は、一端側が長孔６３とピン６４によって上記連結板１７に連結されていると共に、他端側が長孔６５とピン６６によって上記スライダー２１に連結されている。
【００４７】
上記連動レバー１６は、上記スライダー２１を移動させることにより、上記連結板１７を連動させて、第１のロック部材１２と、第２、第３のロック部材１３，１４を同期させて移動させるようになっている。
【００４８】
４．他の実施例
上記実施例では、長孔３３を使用し、その両端部に第１、第２の突起係合部２５，２６を形成した場合を示したが、図１９に示したように長孔３３に代えて長溝３３Ａを使用しその両端部に第１、第２の突起係合部２５，２６を形成してもよい。また、第１、第２の突起係合部２５，２６をスライダー２１側に形成し、突起２４を第１のラック２２側に形成してもよい。
【００４９】
また、上記第２のラック５１は、図５〜６に示したようにスライダー２１と別体に形成しても、或いは、図２０に示したようにスライダー２１と一体に形成してもよい。
【００５０】
また、実施例ではスライダー機構を車載用のディスクドライブ装置に搭載したものを示したが、車載用に限定されない。またＤＶＤ用のドライブ装置に搭載しても、或いはディスクドライブ装置以外のものに搭載してもよい。
【００５１】
【発明の効果】
本発明には次に述べるような効果がある。
【００５２】
（１）請求項１のスライダー機構は、第２のばねの変曲点において、ピニオンによってスライダーを移動させて、突起を突起係合部に当接させるので、従来のように上記第２のばねの付勢力によってスライダーを移動させる場合に較べて、上記突起が突起係合部に当接する際の衝撃を弱め、異音の発生等を抑制することできる。従って、上記異音の発生を抑制するために上記第２のばねのばね力を弱くしたりする必要がなくなり、スライダー機構の動作を確実なものにすることができる。
【００５３】
（２）請求項２のスライダー機構は、第２のラックをスライダーと別体に形成し、該スライダーに組み付ける構成にしたので、既存（従来）のスライダー機構のスライダーを利用することが容易になる。
【００５４】
（３）請求項３のスライダー機構は、第２のラックをスライダーと一体に形成したので、その分部品点数の削減を図ることができる。
【００５５】
（４）請求項４のディスクドライブ装置は、スライダー機構でロック部材をＯＰシャーシロック位置又はロック解除位置に移動させる際に、上記スライダー機構が異音やノイズを発生を防止し、これら異音やノイズがディスクの再生等に悪影響を及ぼすのを防止することができる。
【図面の簡単な説明】
【図１】要部の平面図（ロック状態）。
【図２】要部の平面図（ロック解除状態）。
【図３】要部の斜視図（ロック状態）。
【図４】要部の斜視図（ロック解除状態）。
【図５】スライダー機構の斜視図。
【図６】スライダー機構の分解斜視図。
【図７】（Ａ）はスライダー機構の動作を示す平面図。（Ｂ）は要部の側面図。
【図８】（Ａ）はスライダー機構の動作を示す平面図。（Ｂ）は要部の側面図。
【図９】（Ａ）はスライダー機構の動作を示す平面図。（Ｂ）は要部の側面図。
【図１０】（Ａ）はスライダー機構の動作を示す平面図。（Ｂ）は要部の側面図。
【図１１】（Ａ）はスライダー機構の動作を示す平面図。（Ｂ）は要部の側面図。
【図１２】（Ａ）はスライダー機構の動作を示す平面図。（Ｂ）は要部の側面図。
【図１３】（Ａ）はスライダー機構の動作を示す平面図。（Ｂ）は要部の側面図。
【図１４】（Ａ）はスライダー機構の動作を示す平面図。（Ｂ）は要部の側面図。
【図１５】（Ａ）はスライダー機構の動作を示す平面図。（Ｂ）は要部の側面図。
【図１６】（Ａ）はスライダー機構の動作を示す平面図。（Ｂ）は要部の側面図。
【図１７】（Ａ）はスライダー機構の動作を示す平面図。（Ｂ）は要部の側面図。
【図１８】（Ａ）はスライダー機構の動作を示す平面図。（Ｂ）は要部の側面図。
【図１９】他の実施例の断面図。
【図２０】他の実施例の斜視図。
【図２１】従来例の平面図（ロック状態）。
【図２２】従来例の平面図（ロック解除状態）。
【図２３】従来例の要部の側面図（ロック状態）。
【図２４】従来例の要部の側面図（ロック解除状態）。
【図２５】従来のスライダー機構の斜視図。
【図２６】従来のスライダー機構の分解斜視図。
【図２７】従来のスライダー機構の作用を示す平面図。
【図２８】従来のスライダー機構の作用を示す平面図。
【図２９】従来のスライダー機構の作用を示す平面図。
【図３０】従来のスライダー機構の作用を示す平面図。
【図３１】従来のスライダー機構の作用を示す平面図。
【図３２】従来のスライダー機構の作用を示す平面図。
【図３３】従来のスライダー機構の作用を示す平面図。
【図３４】従来のスライダー機構の作用を示す平面図。
【図３５】従来のスライダー機構の作用を示す平面図。
【図３６】従来のスライダー機構の作用を示す平面図。
【図３７】従来のスライダー機構の作用を示す平面図。
【図３８】従来のスライダー機構の作用を示す平面図。
【図３９】従来のスライダー機構の作用を示す平面図。
【符号の説明】
１…ディスクドライブ装置、５…光学シャーシ（ＯＰシャーシ）、１２…ロック部材、１５…スライダー機構、２１…スライダー、２２…第１のラック、２２ａ…欠歯部、２３…ピニオン、２４…突起、２５…第１の突起係合部、２６…第２の突起係合部、２９…第１のばね、３２…第２のばね。
【図１】
0004120130.tif 000002
【図２】
0004120130.tif 000003
【図３】
0004120130.tif 000004
【図４】
0004120130.tif 000005
【図５】
0004120130.tif 000006
【図６】
0004120130.tif 000007
【図７】
0004120130.tif 000008
【図８】
0004120130.tif 000009
【図９】
0004120130.tif 000010
【図１０】
0004120130.tif 000011
【図１１】
0004120130.tif 000012
【図１２】
0004120130.tif 000013
【図１３】
0004120130.tif 000014
【図１４】
0004120130.tif 000015
【図１５】
0004120130.tif 000016
【図１６】
0004120130.tif 000017
【図１７】
0004120130.tif 000018
【図１８】
0004120130.tif 000019
【図１９】
0004120130.tif 000020
【図２０】
0004120130.tif 000021
【図２１】
0004120130.tif 000022
【図２２】
0004120130.tif 000023
【図２３】
0004120130.tif 000024
【図２４】
0004120130.tif 000025
【図２５】
0004120130.tif 000026
【図２６】
0004120130.tif 000027
【図２７】
0004120130.tif 000028
【図２８】
0004120130.tif 000029
【図２９】
0004120130.tif 000030
【図３０】
0004120130.tif 000031
【図３１】
0004120130.tif 000032
【図３２】
0004120130.tif 000033
【図３３】
0004120130.tif 000034
【図３４】
0004120130.tif 000035
【図３５】
0004120130.tif 000036
【図３６】
0004120130.tif 000037
【図３７】
0004120130.tif 000038
【図３８】
0004120130.tif 000039
【図３９】
0004120130.tif 000040